(57)【要約】      （修正有）【課題】清掃用部材を、排水口から封水より下流に簡単に挿通することができる排水トラップであって、尚かつ、排水が円滑に排水でき、ごみが詰まったりすることなく、更には施工が簡単な排水トラップを提供する。【解決手段】排水口１１と排出口１２を有したトラップ本体部１と、トラップ本体部１内に配置される排水の入口部２１と出口部２２を備えた断面視Ｕ字状に排水通路が形成される封水部２と、前記トラップ本体部１の排水口１１から掃除用具によって封水部２より下流を清掃できる排水トラップにおいて、封水部２の出口部２２近傍のトラップ本体部１側壁に、外側方向に突出する出口室２３を構成。【選択図】図１
2011179237.tif 000002
【特許請求の範囲】
【請求項１】
排水口１１と排出口１２を有したトラップ本体部１と、
トラップ本体部１内に配置される排水の入口部２１と出口部２２を備えた断面視Ｕ字状に排水通路が形成される封水部２と、
前記トラップ本体部１の排水口１１から掃除用具によって封水部２より下流を清掃できる排水トラップにおいて、
封水部２の出口部２２近傍のトラップ本体部１側壁に、外側方向に突出する出口室２３を構成したことを特徴とする排水トラップ。
【請求項２】
前記封水部２を、トラップ本体部１から着脱自在に構成し、且つ排水口１１から封水部２を取り外すことができることを特徴とする前記請求項１に記載の排水トラップ。
【請求項３】
前記封水部２を、
筒状体であって、上端に排水が流入する入口部２１を有し、下端が偏倚して構成した封水筒２４と、
有底筒状であって、封水筒２４が内部に配置され、封水筒２４から流入した排水が排出される出口部２２を側面に開口したオワン部２５と、
から構成され、
封水筒２４とオワン部２５がセットされた際に、封水筒２４の下端が排出口１２と対向する側面に接するように偏倚して配置されることを特徴とする前記請求項２に記載の排水トラップ。
【請求項４】
前記排水トラップの封水筒２４下端：封水筒２４下端の通水面積を除いたオワン部２５：出口室２３、の通水面積の比率を、およそ１：１：１としたことを特徴とする前記請求項３に記載の排水トラップ。
【請求項５】
前記封水部２を、管体を屈曲させてＵ字状の排水通路を形成し、尚かつ、排水口１１から清掃用具を挿通させることができる清掃用通路を構成して、清掃時にのみ開封することができるように清掃用通路は常時密閉して構成したことを特徴とする前記請求項１に記載の排水トラップ。
【請求項６】
前記排水トラップの入口部２１：出口部２２：出口室２３の通水面積の比率を、およそ１：１：２としたことを特徴とする前記請求項５に記載の排水トラップ。
【請求項７】
前記トラップ本体部１を、排水口１１と本体部１３とで別体にて構成し、排水口１１とトラップ本体部１及び接続部材によって、槽体６の開口を挟持するようにして接続固定したことを特徴とする前記請求項１乃至請求項６のいずれか一つに記載の排水トラップ。
【請求項８】
前記接続部材を、環状体であって、上端に外側方向に向かって突出する第１鍔部４１と、下端に外側方向に向かって突出する第２鍔部４２を構成したロックナット４によって接続したことを特徴とする前記請求項７に記載の排水トラップ。
【請求項９】
前記排出口１２を、トラップ本体部１の側面若しくは側面から底面にかけて延出し、側方若しくは下方に向けて傾斜して構成したこと、を特徴とする前記請求項１乃至請求項８のいずれか一つに記載の排水トラップ。
【発明の詳細な説明】
【技術分野】
【０００１】
本発明は、排水設備から排水される排水を下水管へ排水する際に、室内側へ下水管内の異臭や害虫を室内側へ逆流させないために配置される、内部に封水を有した排水トラップに関する発明である。
【背景技術】
【０００２】
図１０、図１１に示したように、キッチンシンクなどの槽体に用いられる排水トラップは、キッチンシンクや浴室などの排水設備から発生する排水を、下水管へと排水し、その内部に封水と呼ばれる排水を一時貯留させることで下水管からの臭気や害虫を室内側へ逆流しないように設けられる設備機器である。
本従来例の排水トラップは、図１０に示すように浴室の洗い場パンの排水管に取り付けられ、槽体、トラップ本体部、封水部、から構成される。
槽体は、箱体であって、底部に排水用の開口が構成される。本従来例では浴室の洗い場の防水パンが使用される。
トラップ本体部は、本従来例では後記する封水部が取り付けられる排水管であって、排水口、排出口、後記する封水部、から構成される。
排水口は、排水がトラップ本体部内に流入するための流入口であって、前記浴室の洗い場パンの開口に取り付けられて成り、トラップ本体部でもある排水管の上端をいう。
排出口は、トラップ本体内に流入した排水を、下水管へと排出するための開口であって、本従来例では、最終的には下水管へと排出される。
封水部は、トラップ本体部に着脱自在に構成された有底筒状の部材であり、内部に排水を貯水するオワン部を構成し、封水部の上部には排水が内部に流入するための入口部を構成し、オワン部の側面には内部の排水を排出する出口部を開口して構成される。尚、封水部は断面視Ｕ字状に排水通路が構成される。また、出口部より下流のトラップ本体部内に、出口部より流出した排水が排出口へと排出するための通水空間として出口室が構成される。
【０００３】
図１０に記載された排水トラップは、以下のような排水の流れとなる。
浴室の洗い場上で排水が発生すると、洗い場パンに接続されている排水トラップの排水口内に排水が排水され、排水口からトラップ本体部内に排水が流入する。トラップ本体内の排水は、封水部の入口部から封水内に進入し、封水を介してから封水部の出口部より排出される。封水部から排水された排水は、トラップ本体の排出口から排出され、最終的には下水管へと排水される。尚、本従来例での排出口は、トラップ本体部としての排水管が下水管と接続される部分が排出口と成る。
【０００４】
図１０に記載された排水トラップは、封水より下流にゴミづまり等が発生した際は、トラップ本体部から封水部を取り外すことで、槽体（浴室の洗い場パン）側から管体などの清掃用部材を排水管に挿入することができる。このようにすることで、洗い場などの排水口から簡単に封水部より下流を清掃することができる。
【０００５】
次の従来例として、図１１に示すように槽体としてのキッチンシンク取り付けられる排水トラップがある。本従来例の排水トラップは、槽体、トラップ本体部、封水部、から構成される。
槽体は、箱体であって、底部に排水用の開口が構成される。本従来例ではキッチンシンクが使用される。
トラップ本体部は、後記するトラップ本体部を内部に備える装置であって、排水口、排出口、後記する封水部、清掃用通路、蓋部、から構成される。
排水口は、排水がトラップ本体部内に流入するための流入口であって、本従来例では排水口内に、キッチンから排出される厨芥などを収納するゴミカゴを配置する。また、前記シンクの開口に取り付けられて成り、シンク上の排水をトラップ本体部内へと流入させる開口である。また、排水口には、後記する封水部内へと排水を流入する入口部と、清掃用部材を挿通させるための清掃用開口部とが開口して構成される。
排出口は、トラップ本体内に流入した排水を、下水管へと排出するための開口であって、本従来例では、最終的には下水管に接続されて排水が排出される。
封水部は、トラップ本体部に構成された、管体を断面視Ｕ字状に屈曲させて排水通路を構成してなり、内部に排水を一時的に貯留して、下水からの臭気や害虫を室内側へと排水させない為に構成される封水を備える。又、排水口から流入した排水が封水部内へと流入させるための入口部と、封水部内の排水が封水部外へと排出させるための出口部を構成して成る。また、出口部より下流のトラップ本体部内に、出口部より流出した排水が排出口へと排出するための通水空間として出口室が構成される。
清掃用通路は、排水口から封水部の出口部より下流に連通するように開口され、常時後記する蓋部によって閉塞されるが、清掃時には蓋部が取り外されて開通する開口である。
蓋部は、排水口に開口された清掃口を水密的に閉塞する蓋であって、通常使用時には常に閉塞されており、清掃時にのみ開封されるように構成されて成る。
【０００６】
図１１に記載された排水トラップは、以下のような排水の流れとなる。
シンクに排水が発生すると、シンクに接続されている排水トラップの排水口内に排水が排水され、ゴミカゴを介して排水口からトラップ本体部内に排水が流入する。トラップ本体内の排水は、封水部の入口部から封水内に進入し、封水を介してから封水部の出口部より排出される。封水部から排水された排水は、トラップ本体部の排出口から排出され、最終的には下水管へと排水される。尚、本従来例では、通常使用時には蓋部によって清掃用通路は蓋部によって閉塞されているので、排水は清掃用通路から排水されることはない。
【０００７】
図１１に記載された排水トラップは、封水より下流にゴミづまり等が発生した際は、排水口から蓋部を取り外すことで、槽体（シンク）側から管体などの清掃用部材を、清掃用通路を介してトラップ本体部の封水部より下流に挿入することができる。このようにすることで、シンクなどの排水口から簡単に封水部より下流を清掃することができる。
【先行技術文献】
【特許文献】
【０００８】
【特許文献１】実開平３−６５７８２号公報
【特許文献２】特開２００６−２４９７４４号公報
【発明の概要】
【発明が解決しようとする課題】
【０００９】
上記のような図１０に記載したような従来の排水トラップを用いると、排水管という狭い内部にトラップ本体部を配置して、更にはＵ字状に構成された封水部トラップ本体部内に配置されるので、必然的に入口部、出口部、出口室の通水面積が狭くなって、トラップ本部内の排水の通過としては性能を満たさないことが多く、いずれかの通水面積を大きくすると、その他の開口が小さくなってしまい、排水流量のバランスが取りにくい為、排水流量が非常に悪くなっていた。また更に、排水口の下方に排水トラップを備えないとならないことから、大きさに対しトラップ本体部の大きさが大きいと排水口より下方にトラップ本体を挿通させることができず、排水口にトラップ本体部を取り付けることが出来ない。
また、図１１に記載したような排水トラップにおいても、出口部の通水面積が小さく、排水流量が悪い、といった問題点や、排水中のゴミがつまりやすい、といった問題点があった。
【００１０】
従って、本発明の排水トラップは、清掃用部材を、排水口から封水より下流に簡単に挿通することができる排水トラップであって、尚かつ、排水が円滑に排水でき、ごみが詰まったりすることなく、更には施工が簡単な排水トラップを提供する。
【課題を解決するための手段】
【００１１】
本発明の請求項１に記載の排水トラップは、排水口１１と排出口１２を有したトラップ本体部１と、トラップ本体部１内に配置される排水の入口部２１と出口部２２を備えた断面視Ｕ字状に排水通路が形成される封水部２と、前記トラップ本体部１の排水口１１から掃除用具によって封水部２より下流を清掃できる排水トラップにおいて、封水部２の出口部２２近傍のトラップ本体部１側壁に、外側方向に突出する出口室２３を構成したことを特徴とする排水トラップである。
【００１２】
本発明の請求項２に記載の排水トラップは、前記封水部２を、トラップ本体部１から着脱自在に構成し、且つ排水口１１から封水部２を取り外すことができることを特徴とする前記段落００１１に記載の排水トラップである。
【００１３】
本発明の請求項３に記載の排水トラップは、前記封水部２を、筒状体であって、上端に排水が流入する入口部２１を有し、下端が偏倚して構成した封水筒２４と、有底筒状であって、封水筒２４が内部に配置され、封水筒２４から流入した排水が排出される出口部２２を側面に開口したオワン部２５と、から構成され、封水筒２４とオワン部２５がセットされた際に、封水筒２４の下端が排出口１２と対向する側面に接するように偏倚して配置されることを特徴とする前記段落００１２に記載の排水トラップである。
【００１４】
本発明の請求項４に記載の排水トラップは、前記排水トラップの封水筒２４下端：封水筒２４下端の通水面積を除いたオワン部２５：出口室２３、の通水面積の比率を、およそ１：１：１としたことを特徴とする前記段落００００１２又は段落００１３に記載の排水トラップである。
【００１５】
本発明の請求項５に記載の排水トラップは、前記封水部２を、管体を屈曲させてＵ字状の排水通路を形成し、尚かつ、排水口１１から清掃用具を挿通させることができる清掃用通路を構成して、清掃時にのみ開封することができるように清掃用通路は常時密閉して構成したことを特徴とする前記段落００１１に記載の排水トラップである。
【００１６】
本発明の請求項６に記載の排水トラップは、前記排水トラップの入口部２１：出口部２２：出口室２３の通水面積の比率を、およそ１：１：２としたことを特徴とする前記段落００１５に記載の排水トラップである。
【００１７】
本発明の請求項７に記載の排水トラップは、前記トラップ本体部１を、排水口１１と本体部１３とで別体にて構成し、排水口１１とトラップ本体部１及び接続部材によって、槽体６の開口を挟持するようにして接続固定したことを特徴とする前記段落００１１乃至段落００１６のいずれか一つに記載の排水トラップである。
【００１８】
本発明の請求項８に記載の排水トラップは、前記接続部材を、環状体であって、上端に外側方向に向かって突出する第１鍔部４１と、下端に外側方向に向かって突出する第２鍔部４２を構成したロックナット４によって接続したことを特徴とする前記請段落００１７に記載の排水トラップである。
【００１９】
本発明の請求項９に記載の排水トラップは、前記排出口１２を、トラップ本体部１の側面若しくは側面から底面にかけて延出し、側方若しくは下方に向けて傾斜して構成したことを特徴とする前記段落００１１乃至段落００１８のいずれか一つに記載の排水トラップである。
【発明の効果】
【００２０】
請求項１に記載の排水トラップは、封水部２の出口部２２近傍のトラップ本体部１側壁に、外側方向に突出する出口室２３を構成したことから、封水部２から排水される排水が排水されやすくなる。また、排水中の大きめのゴミが流れても、出口室２３でゴミ詰まりが発生しにくくなった。
請求項２に記載の排水トラップは、封水部２を取り外すことができることから、封水部２より下流にゴミ詰まりなどが発生すれば、封水部２を排水口１１側から取り外し、排水口１１から清掃用の管体などを挿入するだけで内部のゴミを清掃することができる。
請求項３に記載の排水トラップは、封水筒２４とオワン部２５がセットされた際に、封水筒２４の下端が排出口１２と対向する側面に接するように偏倚して配置したことから、排水口１１の大きさはそのままで、封水部２の入口部２１と出口部２２の通水面積を同等とすることができる。
請求項４に記載の排水トラップは、排水トラップの入口部２１：出口部２２：出口室２３の通水面積の比率を、１：１：１としたことにより、各排水通路の通水面積バランスが崩れることなく保たれるので、排水流量が悪化することがない。
請求項５に記載の排水トラップは、封水部２を、管体を屈曲させてＵ字状の排水通路を形成し、尚かつ、排水口１１から清掃用具を挿通させることができる清掃用通路３３を構成して、清掃時にのみ開封することができるように清掃用通路３３は常時密閉して構成したことから、Ｕ字状に屈曲した管体による封水部２でも、蓋部３１を取り外すことで清掃用管体などを挿通して、封水部２より下流を清掃することができる。
請求項６に記載の排水トラップは、前記排水トラップの入口部２１：出口部２２：出口室２３の通水面積の比率を、１：１：２としたことから、各排水通路の通水面積バランスが崩れることなく保たれるので、排水流量が悪化することがない。
請求項７に記載の排水トラップは、前記トラップ本体部１に構成された排水口１１とトラップ本体部１を別体にて構成し、排水口１１の上端に側方に飛び出すようにフランジ部が構成され、当該フランジ部は槽体６に上方から取り付けられて、槽体６下方からトラップ本体部１をフランジ部下方に当接させ、接続固定して取り付けるようにしたことから、施工が簡単になった上、排水口１１の形状、大きさに合わせてトラップ本体部１の大きさを合わせる必要がなくなった。
請求項８に記載の排水トラップは、排水口１１と槽体６を、環状体であって、上端に外側方向に向かって突出する第１鍔部４１と、下端に第２鍔部４２を構成したロックナット４によって接続したことから、部材点数を減少させることができる。
請求項９に記載の排水トラップは、排出口１２を、トラップ本体部１の側面若しくは側面から底面にかけて延出し、側方若しくは下方に向けて傾斜して構成したことから、キッチンシンク下の収納スペースや、浴室下の配管スペースの空間の削減を行うことができる。
【図面の簡単な説明】
【００２１】
【図１】本発明の第１実施例を示す一部切り欠き斜視図である。
【図２】本発明の第１実施例の断面図断面図である。
【図３】本発明の第１実施例の展開斜視図である。
【図４】本発明の第１実施例の槽体に取り付ける際の一部切り欠き斜視図である。
【図５】本発明の第１実施例の、図２におけるＡ−Ａ’断面の斜視図である。
【図６】本発明の第１実施例の、図２におけるＡ−Ａ’断面図である。
【図７】本発明の第２実施例を示す断面図である。
【図８】本発明の第１・２実施例の取り付け手順を示す斜視図である。
【図９】本発明の第１・２実施例の取り付け手順を示す斜視図である。
【図１０】従来例を示す斜視図である。
【図１１】従来例を示す斜視図である。
【発明を実施するための形態】
【００２２】
本実施例の排水トラップは、図１乃至図６に示すような台所のキッチンシンクに取り付けられる。本実施例の排水トラップは、槽体６と、トラップ本体部１と、封水部２と、排水管と、から構成される。
槽体６は、本実施例では台所のキッチンシンクであり、箱体であって、底部に排水用の開口が構成される。
トラップ本体部１は、排水口１１、本体部１３、ロックナット４、接続部材としてのクイックファスナー５、後記する封水部２、排出口１２、出口室２３、から構成される。
排水口１１は、槽体６の開口に取り付けられ、槽体６上で発生した排水をトラップ本体部１内へと流入させるための開口である。尚、本実施例ではトラップ本体部１を、排水口１１と本体部１３との２パーツによって構成し、施工完了後にはトラップ本体部１として一体的となるよう構成される。排水口１１は、外周に雄ねじを螺刻した円筒状であって、上端に槽体６の開口に係止するための鍔状のフランジを形成してなる。また、当該排水口１１は前記槽体６の開口に、フランジを係止するようにして配置される。
本体部１３は、内部に封水部２や排出口１２を構成し、前記排水口１１とともにトラップ本体部１を構成する。更には、上端には外側方向に向かって鍔状に突出して後記するロックナット４の第２鍔部４２と当接する第３鍔部１３１を構成して成る。
接続部材としてのロックナット４は、内周面に雌ねじを螺刻した筒状体であって、その上端に外側方向に向けて突出する第１鍔部４１を構成し、下端にも外側方向に向けて突出する第２鍔部４２を構成して成る。尚、ロックナット４の雌ねじは前記排水口１１の雄ねじと螺合する。また、当該ロックナット４は、槽体６の下方から槽体６の開口を介して排水口１１の雄ねじと該ロックナット４の雌ねじを螺合させることで、槽体６の開口を排水口１１のフランジとロックナット４の第１鍔部４１とで挟持させることで、排水口１１を槽体６に取り付けることができる。そして、ロックナット４の第２鍔部４２は、前記本体部１３の第３鍔部１３１と、パッキンなどを介して水密的に当接する。
クイックファスナー５は、図８及び図９に示したように、前記したロックナット４の第２鍔部４２と本体部１３の第３鍔部１３１が当接したこととにより形成される鍔部分を挟持する接続部材であり、第２鍔部４２と第３鍔部１３１を挟持する２重のリングであって、一部切り欠きを構成して成る。
封水部２は、封水筒２４、オワン部２５、入口部２１、出口部２２より構成される。
封水筒２４は、筒状であって、上端にＯリングを嵌め、下端を一方に偏倚して構成し該下端は後記するオワン部２５内に配置される。また、当該封水筒２４は排水口１１に前記Ｏリングによって脱着自在に取り付けられ、封水筒２４の下端が一方に偏倚して構成されているため、下端が適正な位置となるよう位置決めして排水口１１に取り付けられる。
オワン部２５は、有底筒状であって、側面に出口部２２が開口されており、前記封水筒２４がオワン部２５内部に配置されると、封水筒２４と協同して封水を形成することとなる。また、前記封水筒２４の下端は一方が偏倚しているが、封水筒２４がオワン部２５にセットされる際は、封水筒２４の下端がオワン部２５側面に開口された出口部２２と対向するように配置される。また、当該オワン部２５は、外側面の上端付近にＯリングを嵌めており、当該Ｏリングにより排水口１１に着脱自在に取り付けられる。
入口部２１は、封水部２内に排水が流入する開口であって、本実施例では、封水筒２４の封水部２、特に封水に流入する開口付近を指す。
出口部２２は、オワン部２５側面の開口であって、オワン部２５内の排水を、封水部２外へと排水する開口である。
尚、当該封水部２は、入口部２１から出口部２２にかけて、断面視Ｕ字状に排水通路が形成される。
出口室２３は、オワン部２５から排水された排水を、トラップ本体部１の排出口１２側へと排水する空間であり、封水部２の出口部２２近傍のトラップ本体部１側壁に、外側方向に突出するように構成される。具体的には、封水筒２４下端：封水筒２４下端の通水面積を除いたオワン部２５：出口室２３の通水面積の比率を、１：１：１となるように、出口室２３をトラップ本体部１側壁を突出するようにして構成する。なお、本実施例ではトラップ本体部１を、排水口１１と本体部１３を別体にして構成したことにより、トラップ本体部１の側壁の一部分が突出することにより、トラップ本体部１が比較的大きくなっても、トラップ本体部１をシンク下から取り付けることが出来るので、形状的に不具合がある、というようなことがない。
排出口１２は、トラップ本体部１内に流入した排水をトラップ本体部１外へと排出する開口であって、トラップ本体部１の側面から底面にかけて、傾斜して延出し構成される。排出口１２は最終的には排水管に接続される。
排水管は、トラップ本体部１の排出口１２に接続される管体であって、最終的には下水管へと連通して接続される。
【００２３】
上記のように構成された排水トラップは、以下のように施工される。
槽体６の開口上方から排水口１１を挿通し、排水口１１のフランジを槽体６の開口に係止させる。そして、槽体６の下方から、ロックナット４の雌ねじを、排水口１１の雄ねじに螺合させる。そうすると、槽体６の開口を、排水口１１のフランジとロックナット４の第１鍔部４１により挟持することができ、両者のネジ締め付けが終了すれば、排水口１１は槽体６の開口に取り付けられる。その後、本体を、槽体６の下方から本体部１３の第３鍔部１３１をロックナット４の第２鍔部４２にパッキンなどの水密部材を介して当接させ、接続部材であるクイックファスナー５の切り欠きから、第２鍔部４２と第３鍔部１３１をガイドするように差し込む。そうすると、ロックナット４に本体が接続されることとなる。その後、排出口１２に排水管を接続させ、施工が完了する。なお、このとき、封水筒２４下端：封水筒２４下端の通水面積を除いたオワン部２５：出口室２３、の通水面積の比率を、１：１：１となるように配置構成される。
【００２４】
上記のように構成された排水トラップは、以下のような排水の流れとなる。
槽体６に発生した排水は、排水口１１からトラップ本体部１内に流入し、排水口１１に取り付けられた封水筒２４の内部を通って、及び封水部２の入口部２１を介してオワン部２５に流入する。オワン部２５に流入した排水は、封水筒２４の下端を通過しオワン部２５の出口部２２から排水が溢れるようにして封水部２外へ排水される。封水部２から排水された排水は、出口部２２付近のトラップ本体部１側壁が突出して構成された出口室２３を通過し、排出口１２よりトラップ本体部１外へと排水される。尚、出口室２３はトラップ本体部１側壁が外側方向へ向けて突出して構成されていることから、排水中にゴミが混入していても円滑に排出口１２方向へと排水することができる。また、出口室２３の空間が大きく構成されていることから、通水面積を大きくとることができ、排水流量を確保することができる。
排出口１２から排水された排水は排水管へと排水され、最終的には下水管へと排水される。
【００２５】
上記のように構成された排水トラップは、封水より下流にゴミづまり等が発生した際は、トラップ本体部１から封水部２を取り外すことで、槽体６側から管体などの清掃用部材を排水管に挿入することができる。このようにすることで、キッチンシンクの排水口１１から簡単に封水部２より下流を清掃することができる。
【００２６】
本実施例の排水トラップは、図７に示すような台所のキッチンシンクに取り付けられる。本実施例の排水トラップは、槽体６と、トラップ本体部１と、封水部２と、排水管と、から構成される。
槽体６は、本実施例では台所のキッチンシンクであり、箱体であって、底部に排水用の開口が構成される。
トラップ本体部１は、排水口１１、本体部１３、ロックナット４、接続部材としてのクイックファスナー５、清掃用通路３３、蓋部３１、後記する封水部２、排出口１２、出口室２３、から構成される。
排水口１１は、槽体６の開口に取り付けられ、槽体６上で発生した排水をトラップ本体部１内へと流入させるための開口である。尚、本実施例ではトラップ本体部１を、排水口１１と本体部１３との２パーツによって構成し、施工完了後にはトラップ本体部１として一体的となるよう構成される。排水口１１は、外周に雄ねじを螺刻した円筒状であって、上端に槽体６の開口に係止するための鍔状のフランジを形成してなる。また、当該排水口１１は前記槽体６の開口に、フランジを係止するようにして配置される。
本体部１３は、内部に封水部２や排出口１２を構成し、前記排水口１１とともにトラップ本体部１を構成する。更には、上端には外側方向に向かって鍔状に突出して後記するロックナット４の第２鍔部４２と当接する第３鍔部１３１を構成して成る。
接続部材としてのロックナット４は、内周面に雌ねじを螺刻した筒状体であって、その上端に外側方向に向けて突出する第１鍔部４１を構成し、下端にも外側方向に向けて突出する第２鍔部４２を構成して成る。尚、ロックナット４の雌ねじは前記排水口１１の雄ねじと螺合する。また、当該ロックナット４は、槽体６の下方から槽体６の開口を介して排水口１１の雄ねじと該ロックナット４の雌ねじを螺合させることで、槽体６の開口を排水口１１のフランジとロックナット４の第１鍔部４１とで挟持させることで、排水口１１を槽体６に取り付けることができる。そして、ロックナット４の第２鍔部４２は、前記本体部１３の第３鍔部１３１と、パッキンなどを介して水密的に当接する。
クイックファスナー５は、前記したロックナット４の第２鍔部４２と本体部１３の第３鍔部１３１が当接したこととにより形成される鍔部分を挟持する接続部材であり、第２鍔部４２と第３鍔部１３１を挟持する２重のリングであって、一部切り欠きを構成して成る。
清掃用通路３３は、排水口１１の直下から、後記する封水部２下流に連通した開口であって、通常使用時には水密的に蓋部３１によって密閉され、清掃時には蓋部３１を取り外して清掃用通路３３として開口される。
蓋部３１は、清掃用通路３３を密閉する部材であって、通常時は密閉しており、封水より下流を清掃する際は蓋部３１材を取り外すことができる。
封水部２は、入口部２１、出口部２２、より構成される、管体をＵ字状に屈曲して排水通路を形成してなる。
入口部２１は、封水部２内に排水が流入する開口であって、本実施例では、封水に流入する開口付近を指す。
出口部２２は、封水部２の出口であり、Ｕ字状に屈曲した管体の出口を指し示す。
出口室２３は、封水部２の出口部２２から排水された排水を、トラップ本体部１の排出口１２側へと排水する空間であり、封水部２の出口部２２近傍のトラップ本体部１側壁に、外側方向に突出するように構成される。具体的には、入口部２１：出口部２２：出口室２３の通水面積の比率を、１：１：２となるように、出口室２３をトラップ本体部１側壁を突出するようにして構成する。なお、本実施例ではトラップ本体部１を、排水口１１と本体部１３を別体にして構成したことにより、トラップ本体部１の側壁の一部分が突出することにより、トラップ本体部１が比較的大きくなっても、トラップ本体部１をシンク下から取り付けることが出来るので、形状的に不具合がある、というようなことがない。
排出口１２は、トラップ本体部１内に流入した排水をトラップ本体部１外へと排出する開口であって、傾斜して延出し構成される。排出口１２は最終的には排水管に接続される。
排水管は、トラップ本体部１の排出口１２に接続される管体であって、最終的には下水管へと連通して接続される。
【００２７】
上記のように構成された排水トラップは、以下のように施工される。
槽体６の開口上方から排水口１１を挿通し、排水口１１のフランジを槽体６の開口に係止させる。そして、槽体６の下方から、ロックナット４の雌ねじを、排水口１１の雄ねじに螺合させる。そうすると、槽体６の開口を、排水口１１のフランジとロックナット４の第１鍔部４１により挟持することができ、両者のネジ締め付けが終了すれば、排水口１１は槽体６の開口に取り付けられる。その後、本体を、槽体６の下方から本体部１３の第３鍔部１３１をロックナット４の第２鍔部４２にパッキンなどの水密部材を介して当接させ、接続部材であるクイックファスナー５の切り欠きから、第２鍔部４２と第３鍔部１３１をガイドするように差し込む。そうすると、ロックナット４に本体が接続されることとなる。その後、排出口１２に排水管を接続させ、施工が完了する。なお、このとき、入口部２１：出口部２２：出口室２３、の通水面積の比率を、１：１：２となるように配置構成される。
【００２８】
上記のように構成された排水トラップは、以下のような排水の流れとなる。
槽体６に発生した排水は、排水口１１からトラップ本体部１内に流入し、封水部２の入口部２１から封水部２内へと流入する。封水部２内の排水は、Ｕ字状に屈曲した管体内に貯留する封水を通過して、出口部２２より封水部２外へ排水される。封水部２から排水された排水は、出口部２２付近のトラップ本体部１側壁が突出して構成された出口室２３を通過し、排出口１２よりトラップ本体部１外へと排水される。尚、出口室２３はトラップ本体部１側壁が外側方向へ向けて突出して構成されていることから、排水中にゴミが混入していても円滑に排出口１２方向へと排水することができる。また、出口室２３の空間が大きく構成されていることから、通水面積を大きくとることができ、排水流量を確保することができる。
排出口１２から排水された排水は排水管へと排水され、最終的には下水管へと排水される。
【００２９】
上記のように構成された排水トラップは、封水より下流にゴミづまり等が発生した際は、排水口１１から蓋部３１を取り外すことで、槽体６（シンク）側から管体などの清掃用部材を、清掃用通路３３を介してトラップ本体部１の封水部２より下流に挿入することができる。このようにすることで、シンクなどの排水口１１から簡単に封水部２より下流を清掃することができる。
【００３０】
本発明の排水トラップは、上記の実施例に限定されるものではなく、請求項の範囲を超えない程度に、適宜変更は可能である。
【符号の説明】
【００３１】
１      トラップ本体部
１１    排水口
１２    排出口
１３    本体部
１３１  第３鍔部
２      封水部
２１    入口部
２２    出口部
２３    出口室
２４    封水筒
２５    オワン部
３      清掃用通路
３１    蓋部
４      ロックナット
４１    第１鍔部
４２    第２鍔部
５      クイックファスナー
６      槽体
【図１】
2011179237.tif 000003
【図２】
2011179237.tif 000004
【図３】
2011179237.tif 000005
【図４】
2011179237.tif 000006
【図５】
2011179237.tif 000007
【図６】
2011179237.tif 000008
【図７】
2011179237.tif 000009
【図８】
2011179237.tif 000010
【図９】
2011179237.tif 000011
【図１０】
2011179237.tif 000012
【図１１】
2011179237.tif 000013